(57)【要約】【課題】通気ダクトの交換作業等を容易かつ適正に行うことができる建物のダクト設置構造及びダクト設置方法を提供する。【解決手段】建物一階部分は６つの建物ユニット２０にて構成されており、そのうち１つの建物ユニット２０には換気ユニット３１が設置されている。換気ユニット３１には複数の給気ダクト３５が接続されている。これらの各給気ダクト３５は、一端が換気ユニット３１に接続され、他端が換気対象となる各部屋に設けられた吹出チャンバ３７に接続されている。各給気ダクト３５は、天井大梁２２に設けられた梁貫通孔を通じて、隣接する建物ユニット２０間で設置されるようになっている。また特に、給気ダクト３５は二重配管構造となっており、同ダクト３５が、それよりも大径の外側ダクト４１内に収容されている。【選択図】      図１
2008190745.tif 000002
【特許請求の範囲】
【請求項１】
内部に空気を流通させる通気ダクトが設置される建物のダクト設置構造において、
ダクト設置場所に、前記通気ダクトを収容するダクト収容部材をダクト設置経路に沿って設けたことを特徴とする建物のダクト設置構造。
【請求項２】
前記ダクト収容部材には、前記通気ダクトとの接触部位において当該収容部材の内側に突出する複数の突起部が設けられている請求項１に記載の建物のダクト設置構造。
【請求項３】
前記突起部は、前記ダクト収容部材の内側に突出しかつ当該収容部材の長手方向に延びる突条部である請求項２に記載の建物のダクト設置構造。
【請求項４】
前記ダクト収容部材は、前記通気ダクトよりも大径の外側ダクトである請求項１乃至３のいずれか一項に記載の建物のダクト設置構造。
【請求項５】
前記通気ダクトと前記外側ダクトとの内外の隙間部分に、当該隙間部分を塞ぐための閉塞部材が設けられている請求項４に記載の建物のダクト設置構造。
【請求項６】
建物の天井梁や床梁等の梁材に梁貫通孔が形成され、その梁貫通孔に挿通させて前記通気ダクトが設置されるダクト設置構造であって、
前記梁材に、前記梁貫通孔に連通する筒部が設けられた支持金具が固定され、この支持金具に前記ダクト収容部材が連結されている請求項１乃至５のいずれか一項に記載の建物のダクト設置構造。
【請求項７】
工場にて製造された複数の建物ユニットを結合させてなるユニット式建物に適用されるダクト設置構造であって、
前記ダクト収容部材は、前記建物ユニットの工場製造段階で当該建物ユニットに取り付けられたものである請求項１乃至６のいずれか一項に記載の建物のダクト設置構造。
【請求項８】
建物の天井や床等に設置される板材の背面側に前記ダクト収容部材が設置される一方、前記板材において前記ダクト収容部材の端部付近には室内側からアクセス可能な開口部が設けられている請求項１乃至７のいずれか一項に記載の建物のダクト設置構造。
【請求項９】
内部に空気を流通させる通気ダクトを建物に設置する際のダクト設置方法であって、
ダクト設置場所に、前記通気ダクトを収容可能なダクト収容部材をダクト設置経路に沿って先に取り付けておき、
前記ダクト収容部材内を移動させながら前記通気ダクトを設置することを特徴とする建物のダクト設置方法。
【請求項１０】
前記通気ダクトを新旧交換する際のダクト設置方法であって、
既に設置されている既設ダクトの一端側に新規ダクトを接続し、その状態で、前記既設ダクトの他端側を引っ張って前記新規ダクトを前記ダクト収容部材内に収容する請求項９に記載の建物のダクト設置方法。
【請求項１１】
前記通気ダクトを新設する際のダクト設置方法であって、
前記ダクト収容部材内に、両端が当該収容部材の両端から引き出された状態で紐状の誘導線をあらかじめ配設しておき、
前記通気ダクトに前記誘導線の一端側を接続し、その状態で、前記誘導線の他端側を引っ張って前記通気ダクトを前記ダクト収容部材内に収容する請求項９に記載の建物のダクト設置方法。
【請求項１２】
前記ダクト収容部材内に新たに収容しようとする前記通気ダクトの先端にダクト内掃除用の刷毛部材を取り付け、その状態で前記ダクト収容部材内を移動させて前記通気ダクトを設置する請求項９乃至１１のいずれか一項に記載の建物のダクト設置方法。
【発明の詳細な説明】
【技術分野】
【０００１】
本発明は、建物のダクト設置構造及びダクト設置方法に係り、換気・空調システム等に用いられる通気ダクト（通気用配管）の設置を好適に行うための技術に関するものである。
【背景技術】
【０００２】
住宅等の建物においては換気・空調システム等が装備され、かかるシステムでは天井裏スペース等に通気ダクトが設置される。この場合、天井裏スペース等へのダクト設置作業は煩雑であるため、その設置作業を改善すべく種々の技術が提案されている。例えば、特許文献１では、ユニット式建物において、天井面材に通気ダクト（可撓性ダクト）を固定し、その天井面材を当該ダクトの保持部材とすることで、ダクト設置の現場作業を簡易化するようにしている。
【特許文献１】特開平１１−１０１４９６号公報
【発明の開示】
【発明が解決しようとする課題】
【０００３】
ところで近年では、住宅への機械換気設備の設置が義務化されたこともあってダクト式の換気設備を設置する住宅が増えつつあり、かかる換気設備では通気ダクトによる空気の搬送が常時行われるものとなっている。こうした実情において、換気設備が継続的に使用されることにより通気ダクトの劣化や塵埃等の蓄積が生じ、それに伴い通気ダクトの交換のニーズが高まると考えられる。つまり、建物の新築時以外にも、ダクト交換に伴うダクト設置作業が強いられることとなる。この場合、既存の技術では、ダクト交換（改修）に際して、依然として設置作業が煩雑であるという問題があった。
【０００４】
本発明は、通気ダクトの交換作業等を容易かつ適正に行うことができる建物のダクト設置構造及びダクト設置方法を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明は、内部に空気を流通させる通気ダクト（給気ダクト３５）が設置される建物のダクト設置構造であって、ダクト設置場所に、前記通気ダクトを収容するダクト収容部材（外側ダクト４１、収容ガイド５３）をダクト設置経路に沿って設置したことを特徴とする。
【０００７】
上記構成によれば、通気ダクトは、ダクト設置経路に沿って設けられたダクト収容部材に収容されるため、同通気ダクトの交換等を行う場合には、当該収容部材内を滑りながら古い通気ダクトが引き出される、又は新しい通気ダクトが差し入れられる。かかる場合、そのダクトの出し入れを容易に行うことができる。その際、所望とするダクト設置経路に、通気ダクトを適正に設置できる。
【０００８】
前記ダクト収容部材には、前記通気ダクトとの接触部位（例えば、少なくとも底部内面）において当該収容部材の内側に突出する複数の突起部（突条部４１ａ、突起部５３ａ）が設けられているとよい。本構成によれば、通気ダクトとダクト収容部材とは突起部の先端部分により接触する。この場合、突起部の無い構成（すなわち、ダクト収容部材において通気ダクトとの接触部位が面状となっている構成）に比して両部材の接触面積が小さくなる。したがって、通気ダクトをダクト収容部材内で移動させる際の摩擦抵抗が減じられ、ひいてはダクト交換時等の作業性を向上させることができる。
【０００９】
また特に、前記突起部は、前記ダクト収容部材の内側に突出しかつ当該収容部材の長手方向に延びる突条部（突条部４１ａ）であるとよい。この場合、突起部（突条部）がダクト移動方向に沿って連続して形成されることとなるため、ダクト交換時に、新たに差し入れる通気ダクトの端部が突起部に引っかかることはなく、通気ダクトをより一層スムーズに移動させることができる。
【００１０】
前記ダクト収容部材は、前記通気ダクトよりも大径の外側ダクト（外側ダクト４１）であるとよい。本構成によれば、通気ダクトの周囲が外側ダクトにより完全に覆われるため、天井裏スペースなど比較的狭小なスペースに通気ダクトが設置される場合にも、ダクト交換時に通気ダクトが他部材に当たったりすることが防止できる。
【００１１】
前記通気ダクトと前記外側ダクトとの内外の隙間部分に、当該隙間部分を塞ぐための閉塞部材（端部カバー５１）が設けられているとよい。閉塞部材は、例えば外側ダクトの両側端部など、複数箇所に設けられるとよい。この場合、通気ダクトの外周面と外側ダクトの内周面との間が閉鎖空間となるため、仮に通気ダクトが破損し、その内部の搬送空気が通気ダクトの外部に漏れ出たとしても、その搬送空気の漏れ出しが外側ダクト内で留められる。したがって、通気ダクトの破損時等においても、所望とする空気の搬送が可能となる。
【００１２】
建物の天井梁や床梁等の梁材（天井大梁２２、床大梁２３）に梁貫通孔（梁貫通孔２２ａ）が形成され、その梁貫通孔に挿通させて前記通気ダクトが設置されるダクト設置構造では、前記梁材に、前記梁貫通孔に連通する筒部（筒部４８ａ）が設けられた支持金具（ダクト挿通金具４８）が固定され、この支持金具に前記ダクト収容部材が連結されているとよい。これにより、建物の梁材に貫通させて通気ダクトを設置する場合には、梁貫通孔部分に固定された支持金具によりダクト収容部材の取り付けを行うことができ、建物に対する当該収容部材の取り付けを簡易に行うことができる。
【００１３】
ここで、本発明のダクト設置構造が、工場にて製造された複数の建物ユニット（建物ユニット２０）を結合させてなるユニット式建物（ユニット式建物１０）に適用される場合には、前記ダクト収容部材は、前記建物ユニットの工場製造段階で当該建物ユニットに取り付けられているとよい。この場合、ダクト収容部材が工場にて先付けされていれば、その後の建築現場でのダクト設置作業を簡易に行うことができる。つまり、現場作業の簡素化を図ることができる。
【００１４】
建物の天井や床等に設置される板材（天井材４２等）の背面側に前記ダクト収容部材が設置される一方、前記板材において前記ダクト収容部材の端部付近には室内側からアクセス可能な開口部（開口４３、点検口４５）が設けられているとよい。なお、開口部には、室内側から着脱可能な蓋体等（吹出グリル４４、点検扉４６）が設けられているとよい。本構成によれば、通気ダクトの交換等を開口部を通じて簡易に行うことができる。
【００１５】
また、建物のダクト設置方法にかかる発明としては、ダクト設置場所に、通気ダクト（給気ダクト３５、収容ガイド５３）を収容可能なダクト収容部材（外側ダクト４１）をダクト設置経路に沿って先に取り付けておき、前記ダクト収容部材内を移動させながら前記通気ダクトを設置することを特徴とする。
【００１６】
上記のダクト設置方法によれば、通気ダクトの交換等を行う場合には、当該収容部材内を滑りながら古い通気ダクトが引き出される、又は新しい通気ダクトが差し入れられる。かかる場合、そのダクトの出し入れを容易に行うことができる。その際、所望とするダクト設置経路に、通気ダクトを適正に設置できる。
【００１７】
なおここで、ダクト収容部材に関しては、上述のとおり、通気ダクトとの接触部位（例えば、少なくとも底部内面）において当該収容部材の内側に突出する複数の突起部（突条部４１ａ、突起部５３ａ）が設けられているとよい。この突起部は、ダクト収容部材の内側に突出しかつ当該収容部材の長手方向に延びる突条部（突条部４１ａ）であるとよい。また、ダクト収容部材は、通気ダクトよりも大径の外側ダクト（外側ダクト４１）であるとよい。
【００１８】
通気ダクトを設置する場合としては、（１）通気ダクトを新旧交換する場合や、（２）建物の新築時などにおいて通気ダクトを新設する場合がある。
【００１９】
（１）通気ダクトを新旧交換する場合には、既に設置されている既設ダクト（使用済みダクト３５Ａ）の一端側に新規ダクト（未使用ダクト３５Ｂ）を接続し、その状態で、前記既設ダクトの他端側を引っ張って前記新規ダクトを前記ダクト収容部材内に収容するとよい。
【００２０】
（２）通気ダクトを新設する場合には、前記ダクト収容部材内に、両端が当該収容部材の両端から引き出された状態で紐状の誘導線（誘導線Ｙ）をあらかじめ配設しておき、前記通気ダクトに前記誘導線の一端側を接続し、その状態で、前記誘導線の他端側を引っ張って前記通気ダクトを前記ダクト収容部材内に収容するとよい。
【００２１】
上記（１），（２）のいずれにおいても、ダクト収容部材内を通気ダクトが滑りながら移動することで、簡易なるダクト設置作業が実現できる。特に（１）の場合には、既設ダクトの取り出しと新規ダクトの設置とを同時に行うことができ、作業性が一層改善される。
【００２２】
前記ダクト収容部材内に新たに収容しようとする前記通気ダクトの先端にダクト内掃除用の刷毛部材（刷毛部材６１）を取り付け、その状態で前記ダクト収容部材内を移動させて前記通気ダクトを設置するとよい。これにより、ダクト設置時（新旧交換時、新設時のいずれも含む）において、そのダクト設置と同時に、ダクト収容部材内の掃除、すなわち埃やゴミ等の掃き出しを行うことができる。
【発明を実施するための最良の形態】
【００２３】
以下、本発明を具体化した一実施形態を図面に基づいて説明する。本実施形態では、鉄骨ラーメンユニット工法にて構築された２階建てユニット式建物に具体化しており、そのユニット式建物１０の概要を図７に示す。ユニット式建物１０は、複数の建物ユニット２０を結合させてなる建物本体１１と、この建物本体１１の上方に配設される屋根１２とにより構成されている。なお、ユニット式建物１０に使用される建物ユニット２０は、工場にてあらかじめ製造され、その後、建築現場にトラック等により運搬されるものとなっている。
【００２４】
図８は建物ユニット２０の構成を示す斜視図である。建物ユニット２０において、その四隅には柱２１が配され、各柱２１の上端部及び下端部がそれぞれ４本の天井大梁２２、床大梁２３により連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。天井大梁２２（詳細には、溝形鋼のウエブ）には、複数箇所に直径１００ｍｍ程度の梁貫通孔２２ａが設けられている。
【００２５】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に水平に設けられている。図示は略すが、天井小梁２５によって天井面材が支持され、床小梁２６によって床面材が支持されるようになっている。
【００２６】
本実施形態のユニット式建物１０では中央換気システム（全館換気システムとも称される）が採用されており、一階天井裏スペース及び二階天井裏スペースには換気ユニットや給気ダクトといった換気設備が設置されている。以下、その中央換気システムについて詳しく説明する。なお、一階天井裏スペース及び二階天井裏スペースの各換気設備は概ね同様であり、その構成を図１に示す。図１は、建物天井裏（例えば一階天井裏）における換気システムの構成を示す平面図である。
【００２７】
図１において、建物一階部分は６つの建物ユニット２０にて構成されており、そのうち１つの建物ユニット２０には換気ユニット３１が設置されている。換気ユニット３１は、熱交換型換気ユニットとして構成されており、周知のとおり熱交換器や電動式ファン、吸込グリル、フィルタ等を有している。図示は省略するが、例えば、電動式ファンは、屋外の空気を吸い込んで室内に供給するための給気ファンと、室内の空気を吸い込んで屋外へ排出するための排気ファンとを備えており、熱交換器においては、給気ファンにより吸い込んだ外気と排気ファンにより吸い込んだ室内の空気の間で熱交換が行われるようになっている。吸込グリルは天井面に露出して設けられるものであり、室内側からの着脱が可能となっている。なお、換気ユニット３１に、イオン発生器や花粉除去フィルタ等を設けることも可能である。
【００２８】
換気ユニット３１には外気ダクト３３と排気ダクト３４とが接続されており、屋外から外気（フレッシュエア）が外気ダクト３３を通じて導入されるとともに、汚れた空気や湿気等が排気ダクト３４を通じて屋外に排出されるようになっている。また、同じく換気ユニット３１には複数の給気ダクト３５が接続されている。これらの各給気ダクト３５は、一端が換気ユニット３１に接続され、他端が換気対象となる各部屋に設けられた吹出チャンバ３７に接続されている。各給気ダクト３５は、天井大梁２２に設けられた梁貫通孔２２ａ（図７参照）を通じて、隣接する建物ユニット２０間で設置されるようになっている。なお図１には、梁貫通孔２２ａの設置場所を一点鎖線の指示にて示している。
【００２９】
給気ダクト３５は流体（空気）を搬送させるダクトであるため、当該ダクト３５が急激に曲げられるのは好ましくない。急激な曲がりがあると、空気搬送に際して過大な圧力損失を生じ、風量の低下やファン消費エネルギの増加を招くためである。そのため、ダクト設置経路は可能な限り大きな曲率で設定される。この点、ユニット式建物１０では梁貫通孔２２ａの設置に規制があるため、直線を基調とした圧力損失の少ないダクト設置を行うことが可能となる。
【００３０】
本実施形態では特に、給気ダクト３５を二重配管とする構造を採用することとしており、同ダクト３５が、それよりも大径の外側ダクト４１内に収容される構成となっている。その概要を図２に示す。
【００３１】
図２に示すように、天井材４２上には換気ユニット３１と吹出チャンバ３７とが設置されており、それらに両端が接続された状態で給気ダクト３５が設けられている。天井材４２には開口４３が設けられており、その開口４３に吹出グリル４４が取り付けられている。吹出グリル４４は、給気ダクト３５及び吹出チャンバ３７を介して給送される給気エアを室内に吹き出すための吹出口を構成するものであり、吹出チャンバ３７に一体化されて設けられている。吹出グリル４４は、吹出チャンバ３７と共に室内側から取り外し可能となっている。また、天井材４２には、換気ユニット３１と給気ダクト３５との連結部付近に点検口４５が設けられ、その点検口４５には室内側に開放可能な点検扉４６が設けられている。吹出チャンバ３７を取り外したり、点検扉４６を開放したりすることにより、天井裏スペースにアクセス可能となっている。
【００３２】
給気ダクト３５は、ほぼ全て（両端部近傍以外の部位）が外側ダクト４１内に収容されている。この外側ダクト４１は、天井裏スペースにおいて所定のダクト設置経路に沿って設けられている。給気ダクト３５と外側ダクト４１とはいずれも可撓性を有する配管にて構成されている。給気ダクト３５の直径は例えば７０ｍｍであり、外側ダクト４１の直径は例えば１００ｍｍである。
【００３３】
また、天井材４２には、外側ダクト４１ごとに複数の固定金具４７が取り付けられており、その固定金具４７によって外側ダクト４１が固定されている。このとき、図１に示すように、外側ダクト４１は過度な曲げが生じないようにして設置され、その設置状態が保持できる間隔で固定金具４７が取り付けられている。
【００３４】
図３には、外側ダクト４１の断面構成を示す。外側ダクト４１は断面円形状をなす配管であり、その内周面には複数の突条部４１ａが設けられている。複数の突条部４１ａは、円中心に向かって等高さでかつ円周方向に等間隔で設けられるものであり、これらの各突条部４１ａによって外側ダクト４１の実質的な内径寸法、すなわち給気ダクト３５を収容するために要する内径寸法が縮小化されている。
【００３５】
外側ダクト４１内に給気ダクト３５を収容した状態では、給気ダクト３５は各突条部４１ａの先端部にのみ当接した状態で保持される。この場合、外側ダクト４１に突条部４１ａを設けない構成と比較すると、給気ダクト３５と外側ダクト４１との互いの接触部分が少なくなり、外側ダクト４１内で給気ダクト３５を移動させようとした際にその摩擦抵抗を小さくすることができる。
【００３６】
また、天井大梁２２には、給気ダクト３５が挿通される梁貫通孔２２ａに合わせてダクト挿通金具４８が取り付けられており、その構造を図４に示す。ダクト挿通金具４８は、内径寸法が外側ダクト４１の外径寸法とほぼ同じである筒部４８ａと、その筒部４８ａの一方の端部に形成される鍔部４８ｂとを有している。そして、ダクト挿通金具４８は、梁貫通孔２２ａと筒部４８ａとの開口位置を合わせかつ鍔部４８ｂを天井大梁２２のウエブ内側面に当接させた状態で、ビス等により固定されるようになっている。
【００３７】
ここで、隣接する２つの建物ユニット２０において天井大梁２２間には１００ｍｍ程度の隙間ができるが、外側ダクト４１はその隙間を跨ぐようにして設置される。かかる場合には、給気ダクト３５ごとに、各々１つの外側ダクト４１（連続したダクト）が設置される。
【００３８】
ただし、建物ユニット２０ごとに外側ダクト４１を分断して設け、天井大梁２２間の隙間部分には別の接続配管を設置することも可能である。本構成の場合、天井大梁２２間の隙間部分においては、外側ダクト４１とほぼ同径の接続配管が設けられ、その接続配管内に給気ダクト３５が収容されることとなる。
【００３９】
上記のように給気ダクト３５を外側ダクト４１内に収容して二重配管とすることにより、給気ダクト３５の保護を図ることができる。また、給気ダクト３５を交換しようとする場合に、外側ダクト４１を案内通路として利用することで、そのダクト交換作業を容易に行うことができる。
【００４０】
次に、給気ダクト３５の交換作業手順を図５を参照しながら説明する。なおここでは、説明の便宜上、交換時まで使用していた使用済みの給気ダクト３５を「使用済みダクト３５Ａ」、これから新たに使用する未使用の給気ダクト３５を「未使用ダクト３５Ｂ」として記載する。
【００４１】
まずはじめに、図５（ａ）に示すように、点検扉４６を開放し、点検口４５から天井裏スペースへのアクセスを可能とする。そして、点検口４５を通じてダクト切り離し作業を実施する。つまり、交換対象となる使用済みダクト３５Ａの端部（図の左端のユニット側端部）を換気ユニット３１から切り離す。また、天井材４２上に設置されている吹出チャンバ３７を取り外し、開口４３から天井裏スペースへのアクセスを可能とする。そして、開口４３を通じてダクト切り離し作業を実施する。つまり、使用済みダクト３５Ａの端部（図の右端のチャンバ側端部）を吹出チャンバ３７から切り離す。
【００４２】
次に、図５（ｂ）に示すように、使用済みダクト３５Ａのチャンバ側端部に、未使用ダクト３５Ｂの端部を接続する。このとき、例えば粘着テープや連結治具等を用いて各ダクト３５Ａ，３５Ｂを接続する。
【００４３】
その後、図５（ｃ）に示すように、使用済みダクト３５Ａのユニット側端部を点検口４５から引っ張って、使用済みダクト３５Ａを室内側に徐々に引きずり出していく。これにより、使用済みダクト３５Ａに引っ張られて未使用ダクト３５Ｂが外側ダクト４１内に徐々に入っていく。このとき、使用済みダクト３５Ａ及び未使用ダクト３５Ｂは、外側ダクト４１内において各突条部４１ａの先端部のみに接触しており、低摩擦状態でスムーズに滑り移動する。
【００４４】
そして、未使用ダクト３５Ｂの先端部が、外側ダクト４１の換気ユニット３１側まで引き出されると、使用済みダクト３５Ａと未使用ダクト３５Ｂとを切り離し、未使用ダクト３５Ｂの両端を換気ユニット３１と吹出チャンバ３７とにそれぞれ接続する。そしてその後、吹出チャンバ３７を元の設置場所に戻すとともに、点検扉４６を閉鎖する。これにより、一連のダクト交換作業が完了する。
【００４５】
上記のようなダクト交換作業によれば、使用済みダクト３５Ａの取り出しと未使用ダクト３５Ｂの設置とが同時に行われる。したがって、これらの各作業を個別に行う場合に比べて作業性の改善を図ることができる。
【００４６】
新旧ダクトの交換時以外に、建物の新築時に給気ダクト３５を設置する場合にも、外側ダクト４１を利用することでダクト設置作業の容易化を図ることができる。給気ダクト３５の設置作業手順を図６を参照しながら説明する。
【００４７】
建物の新築に際しては各建物ユニット２０が工場にて製造され、その工場製造時において各建物ユニット２０の天井材４２に外側ダクト４１が取り付けられる。その際、図６（ａ）に示すように、外側ダクト４１内にあらかじめ紐状の誘導線Ｙを配設し、その両端を外側ダクト４１から外方に出しておく。そして、各建物ユニット２０が建築現場に搬送された後、その建築現場での給気ダクト３５（新品ダクト）の設置に際し、図６（ｂ）に示すように、誘導線Ｙの端部に給気ダクト３５の一端を接続する。
【００４８】
その後、図６（ｃ）に示すように、誘導線Ｙの端部（自由端側）を点検口４５から引っ張って、給気ダクト３５を室内側に徐々に引きずり出していく。これにより、給気ダクト３５が外側ダクト４１内に徐々に入っていく。このとき、給気ダクト３５は、外側ダクト４１内において各突条部４１ａの先端部のみに接触しており、低摩擦状態でスムーズに滑り移動する。
【００４９】
以上詳述した本実施形態によれば、以下の優れた効果が得られる。
【００５０】
ユニット式建物１０のダクト設置場所（本実施形態では天井裏スペース）において、ダクト設置経路に沿って設けられた外側ダクト４１に給気ダクト３５が収容されるため、給気ダクト３５を新旧交換する場合や、建物の新築時などにおいて給気ダクト３５を新設する場合には、外側ダクト４１内を滑りながら古い給気ダクト３５が引き出される、又は新しい給気ダクト３５が差し入れられる。かかる場合、そのダクトの出し入れを容易に行うことができる。その際、所望とするダクト設置経路に、給気ダクト３５を適正に設置できる。
【００５１】
例えば、換気システムが継続的に使用されることにより給気ダクト３５が劣化したりダクト内部に塵埃等が蓄積したりし、それに伴い給気ダクト３５が交換される場合にも、その交換作業を簡易に行うことができる。
【００５２】
外側ダクト４１に、その内側に突出しかつ当該ダクト４１の長手方向に延びる突条部４１ａを形成したため、給気ダクト３５を外側ダクト４１内で移動させる際の摩擦抵抗が減じられ、ひいてはダクト交換時等の作業性を向上させることができる。特に、突条部４１ａがダクト移動方向に沿って連続して形成されているため、ダクト交換時に、新たに差し入れられる給気ダクト３５の端部が突条部４１ａに引っかかることはなく、給気ダクト３５をより一層スムーズに移動させることができる。
【００５３】
ダクト収容部材として、給気ダクト３５よりも大径の外側ダクト４１を用いたため、給気ダクト３５の周囲が外側ダクト４１により完全に覆われる。したがって、天井裏スペースなど比較的狭小なスペースに給気ダクト３５が設置される場合にも、ダクト交換時に給気ダクト３５が他部材（天井小梁や床小梁）に当たったりすることが防止できる。また、給気ダクト３５が外側ダクト４１内に収容されることにより、給気ダクト３５の保温効果が期待できる。さらに、給気ダクト３５内をエアが通過することにより発生する音が室内側に漏れ聞こえるのを抑制する効果も期待できる。
【００５４】
外側ダクト４１は建物ユニット２０の工場製造段階で当該建物ユニット２０に取り付けられるため、建築現場でのダクト設置作業を簡易に行うことができる。つまり、現場作業の簡素化を図ることができる。
【００５５】
天井大梁２２に、梁貫通孔２２ａに連通するダクト挿通金具４８を固定し、このダクト挿通金具４８に外側ダクト４１を連結したため、ユニット式建物１０に対する外側ダクト４１の取り付けを簡易に行うことができる。
【００５６】
天井材４２において外側ダクト４１の端部付近には室内側からアクセス可能な開口部（開口４３、点検口４５）が設けられているため、給気ダクト３５の交換等を開口部を通じて簡易に行うことができる。
【００５７】
本発明は上記実施形態の記載内容に限定されず、例えば次のように実施されても良い。
【００５８】
図９に示すように、給気ダクト３５と外側ダクト４１との内外の隙間部分に、当該隙間部分を塞ぐための端部カバー５１を設ける構成とする。端部カバー５１は、例えば外側ダクト４１の両側端部など、複数箇所に設けられる。この場合、給気ダクト３５の外周面と外側ダクト４１の内周面との間が閉鎖空間となるため、仮に給気ダクト３５が破損し、その内部の搬送空気が給気ダクト３５の外部に漏れ出たとしても、その搬送空気の漏れ出しが外側ダクト４１内で留められる。したがって、給気ダクト３５の破損時等においても、所望とする空気の搬送が可能となる。
【００５９】
上記実施形態では、ダクト収容部材として外側ダクト４１を用い、その外側ダクト４１内に給気ダクト３５を収容することで二重配管構造としたが、この構成を変更する。例えば、図１０に示すように、ダクト収容部材として、上部が開放された溝状の収容ガイド５３を用い、その収容ガイド５３内に給気ダクト３５を収容する構成としてもよい。この場合、給気ダクト３５との接触部位である底部内面に、収容ガイド５３の内側に突出する複数の突起部５３ａが設けられているとよい。突起部５３ａは、ダクト長手方向に延びる突条部であってもよいし、収容ガイド５３の内面側において縦横に等間隔で点在して設けられる多数の突起であってもよい。
【００６０】
図１０の構成においても、ダクト収容部材として外側ダクト４１を用いる構成と同様に、ダクト交換時等において、給気ダクト３５をスムーズに出し入れし、ひいてはダクト交換時の作業性を向上させることができる。また、収容ガイド５３内に複数の突起部５３ａを設けたことにより、給気ダクト３５を収容ガイド５３内で移動させる際において摩擦抵抗を低減し、給気ダクト３５をより一層スムーズに移動させることができる。
【００６１】
ダクト交換時等において、給気ダクト３５の設置と同時にダクト収容部材（外側ダクト４１や収容ガイド５３）内の掃除を行うようにすることも可能である。すなわち、図１１に示すように、給気ダクト３５（新たに収容しようとする通気ダクト）の先端にダクト内掃除用の刷毛部材６１を装着し、その状態でダクト収容部材内を移動させて給気ダクト３５を設置するとよい。刷毛部材６１は、給気ダクト３５の外周面に取り付けられる環状の取付部６１ａと、その取付部６１ａに放射状に設けられる毛束部６１ｂとを有する。給気ダクト３５に刷毛部材６１を装着することにより、ダクト設置時（新旧交換時、新設時のいずれも含む）において、そのダクト設置と同時に、ダクト収容部材内の掃除、すなわち埃やゴミ等の掃き出しを行うことができる。
【００６２】
外側ダクト４１として蛇腹配管を用いることも可能である。この場合、蛇腹配管を用いることにより、当該ダクト４１を曲げ配置する場合にも無理なく設置できる。
【００６３】
給気ダクト３５の設置作業時において、遠隔操作可能なラジコン機器やロボット等を使って外側ダクト４１内に給気ダクト３５を収容することも可能である。つまりこの場合、ラジコン機器やロボット等に給気ダクト３５の先端部を接続し、その状態でラジコン機器やロボット等を移動させて外側ダクト４１内に給気ダクト３５を収容する。
【００６４】
上記実施形態では、建物の天井裏スペースに給気ダクト等の換気設備を設置する構成について説明したが、これを変更し、建物の床下スペースや壁内スペースに給気ダクト等の換気設備を設置する構成であってもよい。この場合、床下スペースや壁内スペースに、ダクト収容部材としての外側ダクト等が配設され、その外側ダクト等の内部に給気ダクトが収容される。
【００６５】
上記実施形態では、建物換気システムで使用する通気ダクトの設置構造及び設置方法について説明したが、他のシステムにも本発明が適用可能である。例えば、建物の空調システムで使用する空調ダクトの設置構造及び設置方法として本発明を具体化することも可能である。
【００６６】
上記実施形態では、ユニット式建物への適用例を説明したが、鉄骨軸組工法により構築される建物や、在来木造工法により構築される建物など、他の構造の建物にも本発明を適用することができる。
【図面の簡単な説明】
【００６７】
【図１】建物天井裏に設置される換気システムの構成を示す平面図。
【図２】建物天井裏のダクト設置状態を示す正面図。
【図３】外側ダクトの構造を示す断面図。
【図４】隣接する２つの天井大梁間のダクト設置構造を示す図。
【図５】給気ダクトの交換作業手順を説明するための略図。
【図６】給気ダクトの設置作業手順を説明するための略図。
【図７】ユニット式建物の概要を示す斜視図。
【図８】建物ユニットの構成を示す斜視図。
【図９】別の実施形態におけるダクト設置構造を示す断面図。
【図１０】別の実施形態におけるダクト設置構造を示す断面図。
【図１１】別の実施形態における構成を示す斜視図。
【符号の説明】
【００６８】
１０…ユニット式建物、２０…建物ユニット、２１…柱、２２…天井大梁、２２ａ…梁貫通孔、２３…床大梁、３１…換気ユニット、３５…給気ダクト、３７…吹出チャンバ、４１…外側ダクト、４１ａ…突条部、４８…ダクト挿通金具、４８ａ…筒部、５１…端部カバー、５３…収容ガイド、５３ａ…突起部、６１…刷毛部材、Ｙ…誘導線。
【図１】
2008190745.tif 000003
【図２】
2008190745.tif 000004
【図３】
2008190745.tif 000005
【図４】
2008190745.tif 000006
【図５】
2008190745.tif 000007
【図６】
2008190745.tif 000008
【図７】
2008190745.tif 000009
【図８】
2008190745.tif 000010
【図９】
2008190745.tif 000011
【図１０】
2008190745.tif 000012
【図１１】
2008190745.tif 000013